(57)【要約】    【課題】  見栄えに優れるとともに納まり上の狂いのない床仕上げを容易に行える木質床材を提供する。    【解決手段】  長手方向の端部を、偏位寸法位置ずれさせて雁行状に敷設する木質床材であって、細長矩形板状の基板と、この基板の一方の側部木口面に突設された雄実と、他方の側部木口面に凹設された雌実とを具え、前記雄実は、中間で部分的に切り欠かれた欠如部を有し、かつ前記雌実は、中間で部分的に途切れるとともに前記欠如部と略同長さの途切れ部を有し、基板の長手方向の端部から前記欠如部の中心までの寸法Ｌａと、途切れ部の中心までの寸法Ｌｂとの差（Ｌａ−Ｌｂ）は、前記偏位寸法に略等しく形成されることを特徴とする。【選択図】  図１
2006233636.tif 000002
【特許請求の範囲】
【請求項１】
長手方向の端部を、偏位寸法位置ずれさせて雁行状に敷設する木質床材であって、
細長矩形板状の基板と、この基板の一方の側部木口面に突設された雄実と、他方の側部木口面に凹設された雌実とを具え、
前記雄実は、中間で部分的に切り欠かれた欠如部を有し、かつ前記雌実は、中間で部分的に途切れるとともに前記欠如部と略同長さの途切れ部を有し、
基板の長手方向の端部から前記欠如部の中心までの寸法Ｌａと、途切れ部の中心までの寸法Ｌｂとの差（Ｌａ−Ｌｂ）は、前記偏位寸法に略等しく形成されることを特徴とする木質床材。
【請求項２】
前記欠如部は、基板の長手方向に亘って複数が隔設されることを特徴とする請求項１記載の木質床材。
【請求項３】
前記欠如部は、長手方向の両端部が基板の木口面から外方に向って斜めに拡がり、平面視台形状をなすことを特徴とする請求項１又は２記載の木質床材。
【請求項４】
前記途切れ部は、長手方向の両端部が雌実の溝底から外方に向って徐々に近接し、平面視台形状をなすことを特徴とする請求項１〜３のいずれかに記載の木質床材。
【請求項５】
前記偏位寸法は、床暖房用の発熱体の間に等間隔で配置される小根太の間隔に等しいことを特徴とする請求項１〜４のいずれかに記載の木質床材。
【発明の詳細な説明】
【技術分野】
【０００１】
本発明は、見栄えの良い床仕上げが簡単に行える木質床材に関する。
【背景技術】
【０００２】
表面に化粧目地を有する細長矩形板状の木質板材は、材質感、クッション性、断熱性など優れた特性を有することから、住宅、店舗、事務所など建築物の床仕上材として汎用されている。そして、これら木質床材の多くは、その木口面全周に凹又は凸の実を形成し、実矧ぎにより端部相互を嵌合して接合するとともに、床下地に対して接着、釘止めなどにより固着して床仕上層を形成している。
【０００３】
近年、取扱性、コスト面などに優れた化粧シート材の品質改善が進み、従来の突板に替え、木質床材の表面仕上材として化粧シート仕上げが多く用いられる傾向がある。これにより、突板仕上げではコストが高いことから手控えられていた、広巾目地模様が多く採用されるようになり、また広巾の化粧目地と狭巾の化粧目地とを組み合わせ、更には化粧目地に直行する交差目地を不規則に配置するなど、縦横両方向にランダムな目地を設けて装飾性を高める傾向がある。
【０００４】
このように、単一の木質床材内ではランダムな目地配置の採用によって意匠性が一段と向上したが、工業的に規格生産された同一外観の木質床材を連続して敷設すると、例えば隣接する木質床材の交差目地の位置が揃うなど床仕上げ全体としては繰り返し模様が構成され、その結果意匠性の向上に限界があることが判明した。
【０００５】
そこで、図５に示すように、木質床材ａの長手方向の端部ｅをずらせて階段状に敷設することにより、前記交差目地の位置が揃うことを防止することが考えられる（例えば、特許文献１参照）。
【０００６】
【特許文献１】特開平５−３３１９９４号公報
【発明の開示】
【発明が解決しようとする課題】
【０００７】
ところが、現場合わせによって、木質床材の端部をその都度適宜ずらせて取り付けると、木質床材が統一性なく配置されるため、床仕上げの端部に隙間を生じるなど、納まり上の狂いが生じ易い。また、この問題を防止するため、予め設定した偏位寸法をメジャーで計測しながら取り付ける場合、敷設施工の能率が低下するうえ、計測操作、位置合わせ作業などで生じる避け難い誤差が累積して、床仕上げの端部で僅かながらも隙間を生じてしまうという問題がある。
【０００８】
本発明は、雄実に中間で部分的に切り欠かれた欠如部を設け、かつ雌実に中間で部分的に途切れるとともに前記欠如部と略同長さの途切れ部を設けることを基本とし、見栄えに優れるとともに納まり上狂いのない床仕上げを容易に行える木質床材の提供を課題としている。
【課題を解決するための手段】
【０００９】
前記目的を達成するために、請求項１に係る発明は、長手方向の端部を、偏位寸法位置ずれさせて雁行状に敷設する木質床材であって、細長矩形板状の基板と、この基板の一方の側部木口面に突設された雄実と、他方の側部木口面に凹設された雌実とを具え、前記雄実は、中間で部分的に切り欠かれた欠如部を有し、かつ前記雌実は、中間で部分的に途切れるとともに前記欠如部と略同長さの途切れ部を有し、基板の長手方向の端部から前記欠如部の中心までの寸法Ｌａと、途切れ部の中心までの寸法Ｌｂとの差（Ｌａ−Ｌｂ）は、前記偏位寸法に略等しく形成されることを特徴とする。
【００１０】
請求項２に係る発明において、前記欠如部は、基板の長手方向に亘って複数が隔設され、また請求項３に係る発明では、前記欠如部は、長手方向の両端部が基板の木口面から外方に向って斜めに拡がり、平面視台形状をなすことを特徴とする。
【００１１】
請求項４に係る発明において、前記途切れ部は、長手方向の両端部が雌実の溝底から外方に向って徐々に近接し、平面視台形状をなし、また請求項５に係る発明では、前記偏位寸法は、床暖房用の発熱体の間に等間隔で配置される小根太の間隔に等しいことを特徴とする。
【発明の効果】
【００１２】
請求項１に係る発明の木質床材の敷設に際し、隣接する木質床材の向き合う雄実と雌実を嵌合して隙間無く配置するためには、雄実の欠如部と雌実の途切れ部とを嵌合させる必要がある。そのため隣接して敷設される木質床材は、所定の偏位寸法位置ずれした雁行状をなして配置され、これにより表面に設けた模様により床仕上げ面全体としてランダムな装飾性の高いの形状を構成できる。しかもその敷設作業には熟練を要することなく効率良く行える。また、設計された配置どおりに敷設されるので、取り付け位置の誤差の累積により、端部に隙間を生じるなどの、納まり上の狂いを生じることがない。
【００１３】
請求項２に係る発明では、複数種類の偏位寸法が設定されるため、一種類の木質床材で、多様な配置の敷設が可能となり、目地模様の構成、壁仕上げとのバランスなどに応じて、仕上がりのバリエーションを選択でき、優れた意匠性が得られ、また請求項３に係る発明は、敷設時に平面視台形状の欠如部と雌実の途切れ部とを嵌合して位置決めするため、作業能率が良く、かつ取り付け位置の精度を向上させて意匠性の高い床仕上げが得られる。
【００１４】
請求項４に係る発明では、敷設時に平面視台形状の途切れ部と雄実の欠如部とを嵌合して位置決めするため、敷設作業を効率化するとともに取り付け位置の精度を高め、また請求項５に係る発明のように構成すると、基板長手方向の端部相互の接合箇所が、小根太に位置合わせして敷設できるため、取り付け状態を安定化でき、しかも誤って発熱体に固着具を打ち込むトラブルを未然の防止できる。
【発明を実施するための最良の形態】
【００１５】
以下、本発明の実施の一形態を、図示例とともに説明する。図１、２に示すように、木質床材１は、本体部分を構成する細長矩形板状の基板２と、この基板２の木口面Ｆに突設される雄実３と、凹設される雌実４とを具える。そして複数枚の木質床材１を使用して、長手方向の端部が順次所定の偏位寸法位置ずれした雁行状に敷設されて床仕上げ面を形成するものである。
【００１６】
前記基板２は、ベース層２Ａと、このベース層２Ａの上に積層される化粧層２Ｂとからなる。前記ベース層２Ａは、木質床材１の構造基部を構成し、細長矩形板状をなす。このベース層２Ａは、単一層によって構成することもあるが、奇数プライを繊維方向を交互に配した積層体で構成すると、曲げ強度、反りなど縦横の方向性を相殺して安定した品質を得ることができる点で好ましい。前記基板２は長手方向が例えば１０００〜３０００ｍｍ程度、本形態では１８１８ｍｍ、巾方向が例えば１５０〜６００ｍｍ程度、本形態では３０３ｍｍに形成される。また厚さは、例えば６〜２０ｍｍ程度、本形態では１２ｍｍである。
【００１７】
前記ベース層２Ａは、単一層で構成される時には、杉、松、樅、ラワン、サクラ等の木材、パーティクルボード、ハードボード、ＭＤＦ（中密度繊維板）、インシュレーションボード等の木質ボードの他、集成材などを用いる。他方積層体で構成される時は、ラワン合板、スギ合板、米マツ合板等各種合板、ＬＶＬ（単板積層材）、ＯＳＢ( 配向性ストランドボード）などを用いる。また、底面にウレンタンフォーム、ポリエチレンフォームなどから成るクッション層、或いはオレフィン系樹脂などから成る遮音層を積層したものを用いると、遮音性能が向上するため上階の床仕上げ材として好適に使用できる。
【００１８】
前記化粧層２Ｂは、ベース層２Ａの上面略全面を覆って形成される。化粧層２Ｂは、例えば、ナラ、サクラ、チーク、ケヤキ、トチ、セン、カバ、ブナ等の原木を例えば０．２〜１．０ｍｍ程度の厚さにスライスした突板を、メラミン・ユリア共縮合接着剤、フェノール系接着剤、アミノ系接着剤、ユリア系接着剤などを用いてベース層２Ａに接着し、さらにその上に塗装皮膜、保護フィルムなどでカバーして形成される。又化粧層２Ｂは、ポリエチレン、ポリプロピレン、エチレン酢ビ樹脂（ＥＶＡ）などのオレフィン系樹脂、メラミン樹脂、ポリエステル樹脂その他の化粧シート材をベース層２Ａに貼着して形成することもできる。この他、前記ベース層２Ａに化粧紙を接着した上に、不飽和ポリエステル樹脂を塗布して化粧層２Ｂを形成することもでき、或いはベース層２Ａの表面に直接、ポリエステル塗料、ポリウレタン塗料、アミノアルキド塗料、アクリル塗料等を塗装して形成することもよい。
【００１９】
また、前記化粧層２Ｂには、図２に示すように、従来の板張りの外観を模して前記長手方向に沿う目地模様Ｍが形成される。広巾の突板はコストが嵩むため、突板仕様の化粧層２Ｂでは、主として均一な細巾の目地模様Ｍが形成される。しかし前記の如く、近年品質改善が進み外観に優れた良質な化粧シート材が提供され、任意巾の化粧目地を自在にデザインできる状況になったため、広狭各種の目地幅を適宜組み合わせ、更にこれに直行する交差目地をランダムに配した装飾性の高い目地模様Ｍが形成されている。
【００２０】
前記雄実３は、基板２の一方の側部の木口面Ｆに、略全長に亘り突設され、同一形状の縦断面が基板２の前記長手方向に沿い直線的に連続する凸条をなす。本形態では、基板２の一方の端部の木口面Ｆにも、前記基板２側部の雄実３に連続した雄実３が形成されている。また本形態の雄実３は、縦断面が木口面Ｆから外方に突出した略矩形状をなすとともに先端面が円弧状に形成され、かつ前記木口面Ｆの略中央高さ位置に配されている。この雄実３は、木口面Ｆからの突出寸法が例えば４〜１５ｍｍ程度の大きさを有し、前記ベース層２Ａの木口面加工の際、電動回転切削具により形成される。
【００２１】
また基板２側部の雄実３には、図２、３に示すように、中間部においてその一部を切り欠いた欠如部５が形成される。本形態の欠如部５は、前記長手方向の両端が木口面Ｆから外方に向って斜めに拡がる拡大傾斜面７、７を有し、平面視台形状に形成されている。すなわち欠如部５の前記長手方向の巾は、内側から外側に向って漸増している。
【００２２】
また前記欠如部５は、その中心（前記長手方向の中間点）が、基板２の一方の端面（以下、基準端面Ｅという）からＬａ１離れて形成され、本形態では、Ｌａ１が４５３ｍｍのものが例示されている。
【００２３】
前記雌実４は、直線的に連続した溝状をなし、基板２の他方の側部の木口面Ｆに略全長に亘り凹設される。本形態では、基板２の他方の端部の木口面Ｆに、前記側部の雌実４に連続した雌実４が形成されている。この雌実４は、複数の木質床材１を連続敷設して床仕上げをする際に、隣接する木質床材１の向き合う雄実３と嵌合して実矧ぎを形成するものである。従って、雌実４は前記雄実３と密に嵌合しうる大きさ、位置に形成される。
【００２４】
また基板２の側部に形成された雌実４には、図１、３に示すように、中間部においてその一部が部分的に途切れる途切れ部６が形成される。即ち途切れ部６においては、溝状の雌実４の一部が途絶え、厚さ方向に連続するフラットな木口面Ｆが形成される。この途切れ部６は、前記長手方向において、前記欠如部５と略同長さに形成され、しかも本形態では、前記長手方向の両端が雌実４の溝底から外方に向って斜めに縮まる縮小傾斜面８、８を有し、平面視台形状に形成されている。すなわち途切れ部６の前記長手方向の巾は、雌実４の溝底から外方に向って漸減している。なお本形態において途切れ部６と欠如部５とが長手方向に略同長さであるとは、雄実３と雌実４とが嵌合して実矧ぎを形成する際、雄実３の拡大傾斜面７、７と雌実４の縮小傾斜面８、８とが隙間無く重なる大きさに形成されることをいう。また雌実４の途切れ部６は、その中心（前記長手方向の中間点）が、前記基準端面ＥからＬｂ離れて形成され、本形態では、Ｌｂが１５０ｍｍのものが例示されている。
【００２５】
更に、ＬａとＬｂとの差（Ｌａ−Ｌｂ）は、前記偏位寸法に略等しく形成される。すなわち雄実３の欠如部５と、雌実４の途切れ部６とは、前記基準端面Ｅからの各々の間隔が、前記偏位寸法相違する位置に形成される。しかして、複数の木質床材１を連続敷設して床仕上げを構成する際、長手方向の側辺を接して隣接する木質床材１相互において、向き合う雄実３と雌実４とを嵌合して実矧ぎを形成する際、双方の隙間無くすために、雄実３の欠如部５と雌実４の途切れ部６とを嵌合させる必要がある。そのため前記隣接して敷設される木質床材１は、前記ＬａとＬｂとの差である偏位寸法分の位置ずれが強制的に生まれ、整然とした雁行状をなして配置される。
【００２６】
例えば、図２には、前記基準端面ＥからのＬａ１（４５３ｍｍ）の寸法に形成された欠如部５と、基準端面ＥからＬｂ（１５０ｍｍ）の寸法に形成された途切れ部６とが向き合い、偏位寸法（３０３ｍｍ）位置ずれして配された状態が開示されている。そして図４（Ａ）に示すように、前記向き合う欠如部５と途切れ部６とが嵌合することにより、隣接する木質床材１が偏位寸法（３０３ｍｍ）位置ずれした雁行状に敷設される。このように、床仕上げ施工において、メジャーなどを用いて偏位寸法を計測する必要なく、そして偏位寸法に合わせるための位置調整をすることなく、しかも所定の偏位寸法どおり雁行状に敷設できる。その結果表面に設けた模様により床仕上げ面全体としてランダムな装飾性の高いの形状が構成でき、しかもその敷設作業は、雄実３と雌実４とを嵌合するだけで熟練を要することなく効率良く行える。また設計どおりの位置に敷設できるので、端部に隙間を生じるなど納まり上の狂いを生じることがない。
【００２７】
なお本形態では図２に示すように、途切れ部６よりも欠如部５の方が、基準端面Ｅから離れて形成される場合（Ｌａ＞Ｌｂの場合）を例示している。しかしこれに限定されるものでなく、欠如部５よりも途切れ部６の方が基準端面Ｅから離れて形成される場合（Ｌａ＜Ｌｂの場合）もある。
【００２８】
前記の如く本形態において、雄実３の欠如部５は両端部が木口面Ｆから外方に向って斜めに拡がった平面視台形状をなし、又雌実４の途切れ部６は両端部が雌実４の溝底から外方に向って徐々に近接する平面視台形状をなす。そのため平面視台形状の欠如部５の拡大傾斜面７、又は途切れ部６の縮小傾斜面８は、嵌合時に各々相方のガイドとして正確な位置に誘導できるため、位置決めが素早く行えて敷設作業の能率を高めるとともに、位置精度を向上しうる。
【００２９】
また本形態では図２に示すように、前記欠如部５は、基準端面Ｅからの寸法がＬａ１のものに加えて、Ｌａ２、Ｌａ３及びＬａ４である複数個のものが、基板２の長手方向に沿って隔設される。そして本形態では、前記Ｌａ２、Ｌａ３、Ｌａ４が、各々６０４．５ｍｍ、７５６ｍｍ、及び１０５９ｍｍのものが例示されている。そして、前記Ｌａ１に形成された欠如部５に替え、図４（Ｂ）に示すように、Ｌａ２に形成された欠如部５と途切れ部６とを嵌合することにより、偏位寸法（Ｌａ２−Ｌｂ）が４５４．５ｍｍ位置ずれさせて雁行状に敷設することができる。更に図４（Ｃ）又は（Ｄ）に示すように、Ｌａ３又はＬａ４に形成された欠如部５と途切れ部６とを嵌合すると、各々偏位寸法が大きく６０６ｍｍ又は９０９ｍｍ位置ずれした位置関係に敷設することができる。このように、基準端面Ｅからの寸法が異なる複数個の欠如部５を設けると、異なる寸法位置ずれさせて敷設できるため、一種類の木質床材１を用いながらも、多様な変化に富んだ外観の床仕上げが構成され、床仕上げ面の広さ、用途、壁仕上げとのバランスなどに適合させて、多様なバリエーションの仕上がりを選択でき、優れた意匠性が得られる。
【００３０】
また木質床材１を床暖房を設備した床の仕上げに用いる場合、図１に示すように、パーティクルボード、合板などの基板２１中に温水パイプ２２が埋設された床暖房パネル９Ａからなる発熱体９の間に、該発熱体９のモジュールに応じて等間隔Ｄで配置した小根太１０上に敷設される。そして本形態の木質床材１は、偏位寸法（Ｌａ−Ｌｂ）が前記小根太１０の間隔Ｄに等しく形成されている。即ち例えば、小根太１０の間隔Ｄが３０３ｍｍであるのに対して、本形態では前記の如く、Ｌｂを１５０ｍｍ、Ｌａ１を４５３ｍｍとし、偏位寸法は、３０３ｍｍに形成されているため、偏位寸法（Ｌａ−Ｌｂ）が前記小根太１０の間隔Ｄと等しくなる。そのため、連続して敷設する木質床材１を始端部を小根太１０上に位置合わせすることにより、基板２の長手方向の端部相互で実矧ぎを構成して接合される箇所が、全て小根太１０に一致するため、木質床材１は安定して固定される。しかも前記実矧ぎ部において、木質床材１を小根太１０に釘止め、接着するなどして、取り付け強度を高めることができ、しかも誤って発熱体９に固着具を打ち込むトラブルを未然の防止できる。
【００３１】
尚、叙上の説明は本発明の実施の形態を例示したものであり、本発明の技術的範囲はこれに限定されるものではない。
【図面の簡単な説明】
【００３２】
【図１】本発明の一実施の形態を例示し、床暖房を設備した床仕上げにとして敷設した状態を説明する斜視図である。
【図２】その平面図である。
【図３】その要部拡大図である。
【図４】（Ａ）〜（Ｄ）は、偏位寸法が各々異なる敷設状態を例示する略平面図である。
【図５】従来例の敷設状態を示す斜視図である。
【符号の説明】
【００３３】
１      木質床材
２      基板
３      雄実
４      雌実
５      欠如部
６      途切れ部
７      拡大傾斜面
８      縮小傾斜面
９      発熱体
１０      小根太
【図１】
2006233636.tif 000003
【図２】
2006233636.tif 000004
【図３】
2006233636.tif 000005
【図４】
2006233636.tif 000006
【図５】
2006233636.tif 000007